(57)【要約】      （修正有）【課題】交換可能なブレスレットとケースミドル部の間の遊びをなくした腕時計を提供する。【解決手段】携行型時計ケース１は、中心軸Ａ−Ａ’を有するケースミドル部２と、ケース裏部４と、ブレスレット取り付け手段６と、及び環状リング８とを有し、環状リング８には、機械的ロック手段２８があり、機械的ロック手段２８は、環状リング８がロック位置にあるときにブレスレット取り付け手段６に設けられた相補的係合手段１５と連係して、ブレスレット取り付け手段６をケースミドル部２に固定することができ、環状リング８は、ケースミドル部２とケース裏部４の間にて保持され、機械的ロック手段２８は、少なくとも１つの弾性メンバー３４を有し、弾性メンバー３４は、環状リング８がロック位置にあるときに、相補的係合手段１５と弾性係合している。【選択図】図１
2020106523.tif 000002
【特許請求の範囲】
【請求項１】
腕時計のための携行型時計ケース（１）であって、
中心軸（Ａ−Ａ’）を有するケースミドル部（２）と、
ケース裏部（４）と、
前記ケースミドル部（２）に取り外し可能に接続されたブレスレット取り付け手段（６）と、及び
前記ケースミドル部（２）の前記中心軸（Ａ−Ａ’）のまわりに回転可能なようにマウントされた環状リング（８）と
を有し、
前記環状リング（８）には、機械的ロック手段（２８）があり、この機械的ロック手段（２８）は、前記環状リング（８）がロック位置にあるときに前記ブレスレット取り付け手段（６）に設けられた相補的係合手段（１５）と連係して、前記ブレスレット取り付け手段（６）を前記ケースミドル部（２）に固定することができ、
前記環状リング（８）は、前記ケースミドル部（２）と前記ケース裏部（４）の間にて保持され、
前記機械的ロック手段（２８）は、少なくとも１つの弾性メンバー（３４）を有し、
前記弾性メンバー（３４）は、前記環状リング（８）がロック位置にあるときに、前記相補的係合手段（１５）と弾性係合している
ことを特徴とする携行型時計ケース（１）。
【請求項２】
前記環状リング（８）は、一定の断面を有し、
前記環状リング（８）には、前記ブレスレット取り付け手段（６）に設けられた相補的係合手段（１５）と連係することができる少なくとも１つの凹部（３５）が形成されており、
前記相補的係合手段（１５）は、前記弾性メンバー又は前記弾性メンバーのうちの１つを形成する
ことを特徴とする請求項１に記載の携行型時計ケース（１）。
【請求項３】
前記弾性メンバー又は前記弾性メンバーのうちの１つは、前記ブレスレット取り付け手段（６）と一体的な細長材ばね（３７）である
ことを特徴とする請求項１又は２に記載の携行型時計ケース（１）。
【請求項４】
前記環状リング（８）には、前記環状リング（８）が延在している平面内の半径上における前記環状リング（８）の弾性変形を可能にするように構成している少なくとも１つの薄い部分（３０）があり、
前記薄い部分（３０）又は各薄い部分（３０）には、ブレスレット取り付け手段（６）のに設けられた前記相補的係合手段（１５）と連係することができる少なくとも１つの凹部（３５）があり、
前記凹部（３５）は、前記弾性メンバー又は前記弾性メンバーの１つを形成する
ことを特徴とする請求項１に記載の携行型時計ケース（１）。
【請求項５】
前記薄い部分（３０）は、半径方向の厚みが薄くなっている
ことを特徴とする請求項４に記載の携行型時計ケース（１）。
【請求項６】
前記凹部（３５）は、前記薄い部分（３０）の中央部分に配置される
ことを特徴とする請求項４又は５に記載の携行型時計ケース（１）。
【請求項７】
前記ケースミドル部（２）には、２対の対向するホーン（１２）があり、
同じホーン対のホーン（１２）は、互いに対向するように配置されており、
前記ブレスレット取り付け手段（６）には、１対の棒体（１６）及び１対の端部品（１８）があり、
各棒体（１６）は、前記ホーン対のうちの１つのホーン（１２）の間に固定され、
各端部品（１８）は、前記ブレスレットの端部分に連結することができ、Ｕ字形の断面を有し、前記棒体（１６）のうちの１つに取り外し可能にマウントされることができる
ことを特徴とする請求項１〜６のいずれか一項に記載の携行型時計ケース（１）。
【請求項８】
各端部品（１８）には、前記環状リング（８）の前記機械的ロック手段（２８）を受けるための溝（２４）が形成されており、
前記溝（２４）は、前記ケースミドル部（２）に接する前記端部品（１８）の外面（２２）にわたって延在している
ことを特徴とする請求項７に記載の携行型時計ケース（１）。
【請求項９】
前記溝（２４）は、この溝内に前記機械的ロック手段（２８）を受けることによって前記手段をこの溝内にロックするような形を有し、
この溝は、前記相補的係合手段（１５）を形成する
ことを特徴とする請求項８に記載の携行型時計ケース（１）。
【請求項１０】
各端部品（１８）には、前記環状リング（８）の前記機械的ロック手段（２８）を受けるための溝（２４）が形成されており、
前記溝（２４）は、前記ケースミドル部（２）に接する前記端部品（１８）の外面（２２）にわたって延在しており、
前記溝（２４）には、前記溝（２４）の底部から突き出る突起（２６）があり、
前記突起（２６）は、前記相補的係合手段（１５）を形成し、前記凹部（３４）と連係することができ、これによって、前記環状リング（８）を機械的にロックし、前記ブレスレット取り付け手段（６）を前記ケースミドル部（２）に固定する
請求項４に記載の携行型時計ケース（１）。
【請求項１１】
前記弾性メンバー（３４）又は各弾性メンバー（３４）は、ボール受けである
ことを特徴とする請求項１に記載の携行型時計ケース（１）。
【請求項１２】
当該携行型時計ケースは、前記環状リング（８）のための少なくとも１つの止めを有する
ことを特徴とする請求項１〜１１のいずれか一項に記載の携行型時計ケース（１）。
【請求項１３】
前記少なくとも１つの止め（３６）は、前記環状リング（８）上に配置され、
前記ケースミドル部（２）に形成された溝と連係することができる
ことを特徴とする請求項１２に記載の携行型時計ケース（１）。
【請求項１４】
前記少なくとも１つの止めは、ピン（３６）である
ことを特徴とする請求項１２又は１３に記載の携行型時計ケース（１）。
【請求項１５】
前記少なくとも１つの止めは、所定の角度範囲にわたって前記環状リング（８）の回転を防ぐような形を有する
ことを特徴とする請求項１２〜１４のいずれか一項に記載の携行型時計ケース（１）。
【請求項１６】
請求項１〜１５のいずれか一項に記載の携行型時計ケース（１）と、及び前記携行型時計ケース（１）に取り付けられる２つの部分によって構成しているブレスレットとを有する腕時計であって、
各ブレスレット部分は、前記携行型時計ケース（１）の前記ブレスレット取り付け手段（６）に固定される
ことを特徴とする腕時計。
【請求項１７】
請求項１６に記載の腕時計と、及び一又は複数のスペアのブレスレットとを含む腕時計アセンブリーキットであって、
前記スペアのブレスレット又は各スペアのブレスレットは、２つの部分によって構成する構成となっており、
前記スペアのブレスレット又は各スペアのブレスレットの各部は、前記携行型時計ケース（１）の前記ブレスレット取り付け手段（６）に取り付けられることができる
ことを特徴とする腕時計アセンブリーキット。
【発明の詳細な説明】
【技術分野】
【０００１】
本発明は、腕時計のための携行型時計ケースに関する。
【０００２】
本発明は、さらに、前記携行型時計ケースを有する腕時計、及び前記携行型時計ケースに取り付けられる２つの部分によって構成しているブレスレットに関する。
【０００３】
本発明は、さらに、前記腕時計及び一又は複数のスペアのブレスレットを有する腕時計アセンブリーキットに関する。
【背景技術】
【０００４】
腕時計の分野において、ばね棒体、金属スラグ、ねじのような締結システムによって、携行型時計ケースのホーンにブレスレットを取り付けることが知られている。あらゆる場合において、このような腕時計のユーザーにとって、例えば、ブレスレットを交換するために、携行型時計（例、腕時計、懐中時計）からブレスレットを分離することは容易なことではない。実際に、この操作には適切な道具が必要であるが、このような道具がこの分野の専門家しか利用可能でないこともある。したがって、ほとんどの場合、ブレスレットの交換は専門家によって行わなければならず、このことによって、この操作に必要な時間やコストを増やしてしまう。
【０００５】
この課題を克服するために、交換可能なブレスレットを備える腕時計も知られている。このような腕時計は、例えば、欧州特許出願ＥＰ３０７０５４６Ｂ１に開示されている。この腕時計において、携行型時計ケースは、中心軸を有するケースミドル部と、このケースミドル部に取り外し可能に接続された突起の形態であるブレスレット取り付け手段と、及び携行型時計ケースの裏蓋を形成する環状リングとを備える。この環状リングは、ケースミドル部の中心軸のまわりに回転可能なようにマウントされており、フックの形態の機械的ロック手段を有する。環状リングが回転してロック位置になると、フックは、取り付け用突起に形成されたチャネルに滑リ込んで、この突起を適切な位置にロックし、これによって、携行型時計ケースにブレスレットを固定することができる。このように、このチャネルは、このチャネルに対して相補的なフック係合手段を形成する。
【０００６】
しかし、欧州特許ＥＰ３０７０５４６Ｂ１において提案されている携行型時計ケースの課題として、ブレスレットとケースミドル部の間に知覚可能な遊びがあること、すなわち、ブレスレットとケースミドル部の間にて自由運動をすることができることがある。特に、ケースミドル部の中心軸と平行な方向において遊びがある。
【発明の概要】
【発明が解決しようとする課題】
【０００７】
このような状況で、本発明は、ブレスレットとケースミドル部の間の潜在的に知覚可能な自由運動又は遊びを減少させ又は取り除いて、これらのブレスレットとケースミドル部の間の一体化を改善するような、交換可能なブレスレットを備える腕時計のための携行型時計ケースを提供することを目的とする。
【課題を解決するための手段】
【０００８】
このような状況で、本発明は、独立請求項１に記載の特徴を有する腕時計のための携行型時計ケースに関する。
【０００９】
従属請求項２〜１７に当該携行型時計の特定の実施形態が定められている。
【００１０】
本発明に係る携行型時計ケースの１つの利点は、機械的ロック手段が少なくとも１つの弾性メンバーを有することに基づいている。環状リングがそのロック位置にあるときに、弾性メンバーは相補的係合手段と弾性的に係合している。弾性メンバーの固有の弾性のおかげで、ブレスレットとケースミドル部の間のいずれの潜在的な自由運動又は遊びも、好ましいことに、なくなる。このことによって、携行型時計ケースとブレスレットの間の可視的な遊びがなくなり、携行型時計ケース／ブレスレットのアセンブリーの一体化が改善する。また、腕時計ユーザーは、携行型時計ケースの環状リングに対する単一の回転アクションでのケースミドル部への、又はその中間からのブレスレットを速く容易に固定するか解放することができる。環状リングがそのアンロック位置にあるときに、ブレスレット取り付け手段に設けられた相補的係合手段は解放され、これによって、取り付け手段をケースミドル部から解放し、したがって、ブレスレットをケースミドル部から取り除く。
【００１１】
好ましくは、前記環状リングは、一定の断面を有し、前記環状リングには、ブレスレット取り付け手段に設けられた相補的係合手段と連係することができる少なくとも１つの凹部があり、前記相補的係合手段は、前記弾性メンバー又は前記弾性メンバーのうちの１つを形成し、ブレスレット取り付け手段に設けられた細長材ばねの形態である。
【００１２】
好ましくは、前記環状リングは、少なくとも１つの薄い部分を有し、これは、前記環状リングが延在している平面内の半径に沿って環状リングに弾性変形を可能にするように構成している。前記薄い部分又は各薄い部分には、ブレスレット取り付け手段に設けられた相補的係合手段と連係することができる少なくとも１つの凹部があり、この凹部は、前記弾性メンバー又は前記弾性メンバーのうちの１つを形成する。このことによって、システムの幅における空間を節約することができる。なぜなら、環状リングがその平面内において曲がることによって機能するからである。また、この構成は、アセンブリーの機械的なロックを確実にするために環状リング上にいずれの部分も配置されることを必要としない。なぜなら、環状リングが単一の材料片によって形成されるからである。また、このような構成は直径が小さく、このことによって、ブレスレットとケースミドル部の間の最適な一体化を達成することが可能になる。
【００１３】
好ましくは、前記ケースミドル部には、２対の対向するホーンがあり、同じホーン対が対向するように配置されており、前記ブレスレット取り付け手段が、１対の棒体及び１対の端部品を有し、各棒体は、前記ホーン対の一方のホーンの間に固定され、各端部品は、断面がＵ字形であるブレスレットの端部分に連結されることができ、１つの棒体に取り外し可能にマウントされることができる。このことによって、ユーザーの単一のアクションによってブレスレットをケースミドル部に固定したりケースミドル部から解放したりすること、そして、各端部品を棒体の１つ上にて滑らせることによってブレスレットの正確なポジショニングを可能にすることが容易になる。
【００１４】
好ましくは、各端部品には、環状リングの機械的ロック手段を受ける溝があり、この溝は、ケースミドル部に接する端部品の外面にわたって延在している。このことによって、端部品を棒体のまわりに回転させて、いずれの潜在的に知覚可能な遊びをも完全になくす。この特徴は、さらに、ケースミドル部の中心軸と平行な方向における機械的な止めを提供する。
【００１５】
好ましくは、前記携行型時計ケースは、環状リングのための少なくとも１つの止めを有する。これは、環状リングがケースミドル部の中心軸のまわりにて遠すぎる位置にて回転することを防ぐ。
【００１６】
このために、本発明は、さらに、前記携行型時計ケースを有し従属請求項１６に記載の特徴を有する腕時計に関する。
【００１７】
このために、本発明は、さらに、前記腕時計を有し従属請求項１７に記載の特徴を有する腕時計アセンブリーキットに関する。
【００１８】
図示されている少なくとも１つの実施形態（これに限定されない）に基づく以下の説明において、携行型時計ケース、腕時計及びアセンブリーキットの目的、利点及び特徴がより明確に記載されている。
【図面の簡単な説明】
【００１９】
【図１】第１の実施形態に係る腕時計のための携行型時計ケースの分解図である。
【図２】図１の携行型時計ケースの一部の断面図である。
【図３】図３ａ及び３ｂはそれぞれ、環状リングのロック位置及び環状リングのアンロック位置にある図１の携行型時計ケースの断面図である。
【図４】本発明に係る腕時計のための携行型時計ケースについての下方から見た斜視図であり、この携行型時計ケースは、環状リングを有する。
【図５】図４の携行型時計ケースの分解斜視図である。
【図６】図６ａは、断面ＩＩＩ−ＩＩＩに沿った図４の携行型時計ケースの一部の断面図であり、図４と比べると上下が逆になっている。図６ｂは、環状リングがロック位置にある図４の携行型時計ケースの下面図である。図６ｃは、環状リングがアンロック位置にある図４と同様な形態の図である。
【発明を実施するための形態】
【００２０】
図１は、腕時計のための携行型時計ケース１を示している。２つの部分によって構成しているブレスレットないしストラップ（図示せず）が携行型時計ケース１に取り外し可能なように取り付けられる。腕時計は、例えば、キット（図示せず）の一部であることができ、このキットは、一又は複数の追加のブレスレットも含んでいることができる。このような追加のブレスレットは、携行型時計ケース１に取り外し可能なように取り付けることができる多くの交換可能な腕時計用のブレスレットとして形成されていることができる。例として（これに限定されない）、このような交換可能なブレスレットは、例えば、金属、プラスチック又は皮革のようなフレキシブルな材料によって作られていることができる。
【００２１】
以下の説明において、携行型時計ケース１に対する向きに応じて、各要素を「内側」又は「外側」と呼ぶ。なお、これに限定されない。
【００２２】
図１〜６ｃに示しているように、携行型時計ケース１は、ケースミドル部２、裏蓋４、ブレスレット取り付け手段６及び環状リング８を有する。好ましくは、携行型時計ケース１には、さらに、環状リング８のための少なくとも１つの止めがある。この止めは、簡明性の理由で図示していない。例示的な実施形態において、各止めは、ピンである。各止めは、例えば、ケースミドル部２又はケース裏部４上に設けられ、環状リング８に形成された溝と連係するように構成している。好ましくは、各止めは、所定の角度範囲にわたって環状リング８の回転を防ぐような形を有する。
【００２３】
ケースミドル部２は、中心軸Ａ−Ａ’を有し、ケース裏部４上に配置される。図２に示しているように、ケースミドル部２とケース裏部４はともに、環状リング８を受ける空間１０を定め、この空間１０は側方にて開いている。このように、環状リング８は、空間１０の内側で、ケースミドル部２とケース裏部４の間に保持される。図１〜６ｃにて例として挙げられている環状の携行型時計ケース１において、ケースミドル部２とケース裏部４の形は、環状であり、空間１０の形は、環状リング８を受けるための溝の形態である。しかし、本発明は、このような携行型時計ケース１の環状構造やケースミドル部２とケース裏部４に対して上で説明した他の構成に限定されない。携行型時計ケース１は、ケースミドル部２の設計と幾何学的構成に応じて、形が可変であることができ、これによって、アセンブリーの取り扱いと機能性が良好であることを確実にすることができる。
【００２４】
図１〜３ｃに示した例示的な実施形態において、ケースミドル部２には、２対の対向するホーン１２がある。この２対のホーン１２は、ケースミドル部２の両側にて、互いに約１８０度離れているように配置される。各ホーン１２は、概して、ブレスレットが延在している方向に対応する長手方向を向いている。長手方向は、ブレスレットが携行型時計ケース１に取り付けられているときに、実質的に携行型時計ケース１の６時−１２時の方向に対応する。各ホーン１２には、下で説明するように、棒体のスラグを受けるハウジング１４がある。同じホーン対のホーン１２は、互いに対向するように配置され、これによって、これらのホーン１２に固定用の棒体が取り付けられることが可能になる。
【００２５】
ケース裏部４は、例えば、裏側の光透過性の風防４０によって閉じられ、携行型時計ケース１は、その表側にて風防４１によって閉じられ、前記ケース１は、上を表盤４３によってマウントされた少なくとも１つのムーブメント４２を受ける。
【００２６】
図３ａ及び３ｂに示しており、下で詳細に説明するように、ブレスレット取り付け手段６は、機械的ロック手段と相補的な形態で連係することができる係合手段１５を有する。取り付け手段６は、ケースミドル部２に取り外し可能に接続される。より正確には、図１〜３に示した例において、取り付け手段６は、１対の棒体１６及び１対の端部品１８を有する。
【００２７】
各棒体１６は、同じホーン対１２のホーン１２の間に固定される。このために、各棒体１６は、例えば、その両端において２つのスラグ２０を有する。棒体１６の各スラグ２０は、ホーン１２の対応するハウジング１４内にて受けられる。
【００２８】
例として図１、３ａ、４及び６ｂに示しているように、各端部品１８には、実質的にＵ字形の断面があり、取り外し可能に棒体１６のうちの１つにマウントされる。各端部品１８は、棒体１６の頂上から棒体１６にマウントされる。端部品１８がマウントされた各棒体１６は、端部品１８によって形成される「Ｕ」字の内側にて延在している。対応する棒体１６にマウントされるときに、各端部品１８の最大の寸法は、棒体１６の広がりの方向と実質的に平行な方向に延在している。また、各端部品１８は、ブレスレットの端部分に取り付けられる。なお、この取り付けについては図示していない。なぜなら、本発明の主題を形成しないからである。
【００２９】
図２に示している例示的な実施形態において、各端部品１８には、その外面２２のうちの１つに、溝２４が設けられる。端部品１８のこの外面２２は、端部品１８が対応する棒体１６にマウントされているときに、ケースミドル部２に接する。下で説明するように、溝２４は、端部品１８の全長（この長さは、端部品１８が延在している最大の寸法となる）にわたって延在しており、機械的ロック手段を受けるように構成している。
【００３０】
図６ｂ及び６ｃに示している例示的な実施形態において、各端部品１８の溝２４には、溝２４の底部から突き出ている突起２６がある。突起２６は、例えば、溝２４の中央部分に配置される。この例示的な実施形態において、突起２６は係合手段１５を形成する。図示していない１つの変種によると、溝２４の形は、この溝２４内に機械的ロック手段を受けることによってその機械的ロック手段が溝内にロックされるようにされる。この変種において、溝２４は係合手段１５を形成する。
【００３１】
環状リング８は、ケースミドル部２の中心軸Ａ−Ａ’のまわりで回転可能なようにマウントされる。環状リング８は機械的ロック手段２８を有し、この機械的ロック手段２８は、リング８がロック位置にあるときに、相補的係合手段１５と連係して、取り付け手段６をケースミドル部２に固定することができる。したがって、環状リング８は、取り付け手段６、したがって、ブレスレット、がケースミドル部２に固定されるロック位置と、取り付け手段６、したがって、ブレスレット、がケースミドル部２から分離されるアンロック位置との間にて、軸Ａ−Ａ’のまわりを回転可能である。これらの２つのロック位置とアンロック位置については、下で詳細に説明する。これらの２つのロック位置とアンロック位置はそれぞれ、図３ａ、６ｂと図３ｂ、６ｃに示している。
【００３２】
図１〜３ｂに示している第１の実施形態において、環状リング８は、一定の断面を有し、その周部に少なくとも１つの凹部３５がある。この凹部３５は、端部品１８内に配置され弾性変形を可能にするように構成している細長材ばね３７と連係するように構成している。したがって、細長材ばね３７には自由端があり、細長材ばね３７は、この細長材ばね３７と凹部３５が対向しているときに凹部３５内に収容され、したがって、端部品１８をロックするような形を有する。図示している例において、環状リング８には、リング上にて互いに１８０度離れて配置されている２つの凹部３５がある。
【００３３】
機械的ロック手段２８は、少なくとも１つの弾性メンバー３４を有し、これは、環状リング８がそのロック位置にあるときに、相補的係合手段１５と弾性係合することができる。図１〜３ｂに示している例示的な実施形態において、機械的ロック手段２８には、端部品１８上にて互いに１８０度離れて配置された２つの弾性メンバー３４がある。この例示的な実施形態において、リング８には、１つの弾性メンバー３４と連係するように構成している２つの凹部３５がある。図３ａ及び３ｂに示しているように、対応する細長材ばね３７が与えるフレキシブル性のおかげで、凹部３５はそれぞれ、相補的係合手段１５、より詳細には、弾性細長材３７の曲がっている部分、と連係して、環状リング８を機械的にロックし、取り付け手段６をケースミドル部２に固定することができる。このために、図３ａに示しているように、凹部３５を支えるリング８の各部分は、リング８のロック位置において、ケースミドル部２の外周を越えて突き出て、端部品１８のうちの１つの溝２４内に収容される。
【００３４】
図４〜６ｃに示している第２の実施形態において、環状リング８には、さらに、少なくとも１つの薄い部分３０があり、この環状リング８は、この環状リング８が延在している平面内の環状リング８の半径上の弾性変形を可能にするように構成している。図４〜６ｃに示している例示的な実施形態において、環状リング８には、互いに１８０度離れて配置された２つの薄い部分３０がある。薄い部分３０は、環状リング８にこの環状リング８が延在している平面内におけるフレキシブル性を与えるように構成している。好ましくは、環状リング８は、さらに、その外周上に、アクチュエート部分３２を有する。このアクチュエート部分３２は、携行型時計ケース１の外側のケースの側面にて延在しており、腕時計のユーザーがリング８を回転するように押すことが可能になるように構成しており、これによって、ロック位置からアンロック位置へ、そして、その逆に、リング８を動かす。環状リング８は、例えば、金属によって作られているが、プラスチック材料のような他の材料で作ることもできる。
【００３５】
機械的ロック手段２８には、少なくとも１つの弾性メンバー３４があり、これは、環状リング８がそのロック位置にあるときに相補的係合手段１５と弾性係合することができる。図４〜６ｃに示している例示的な実施形態において、機械的ロック手段２８は、リング８上で互いに１８０度離れて配置された２つの弾性メンバー３４を有する。この例示的な実施形態において、各薄い部分３０には、１つの凹部３４があり、これは、弾性メンバーのうちの１つを形成している。図６ｂ及び６ｃに示しているように、各凹部３４は、対応する薄い部分３０が与えるフレキシブル性のおかげで、相補的係合手段１５、より詳細には、突起２６の１つ、と連係して、環状リング８を機械的にロックし、取り付け手段６をケースミドル部２に固定することができる。このために、図６ｂに示しているように、リング８のロック位置で、凹部３４を支えるリング８の各部分は、ケースミドル部２の外周を越えて突き出て、端部品１８のうちの１つの溝２４内に収容される。
【００３６】
好ましくは、図６ｂ及び６ｃに示しているように、各薄い部分３０は、半径方向の厚みが薄くされている。凹部３４はそれぞれ、例えば、薄い部分３０のうちの１つの中央部分に配置される。
【００３７】
図示していない変種の１つにおいて、弾性メンバー３４はそれぞれ、ボール受けである。このようなボール受けは、例えば、端部品１８内に配置され、環状リング８にはハウジングが形成されて、ボール受けと連係する。このようなハウジングは相補的係合手段１５を形成する。
【００３８】
以下、図６ｂ及び６ｃを参照しながら、本発明の第２の実施形態に係る携行型時計ケース１の動作について説明する。
【００３９】
図６ｃに示しているように、環状リング８がロック位置にあるときに、ロック手段２８は、相補的係合手段１５と連係して、取り付け手段６、そして、ブレスレットを、ケースミドル部２に固定する。より詳細には、図４に示した例において、環状リング８に形成された各凹部３４は、端部品１８のうちの１つに設けられた突起２６と弾性連係する。ユーザーは、ロック位置からアンロック位置へと移行することを望むときに、例えば、アクチュエート部分３２を押したり引いたりすることによって、矢印Ｆ１の方向に環状リング８を回転させる。システムは、明らかに、機能をロック及び／又はアンロックするために時計回りと反時計回りに動作することができる。
【００４０】
図６ｃに示しているように、環状リング８がアンロック位置にあるときに、相補的係合手段１５が解放され、このことによって、取り付け手段６がケースミドル部２から解放され、したがって、ブレスレットがケースミドル部２から解放される。図５に示した例において、環状リング８がそのアンロック位置へと回転するおかげで、２つの端部品１８が同時に解放される。
【００４１】
したがって、ユーザーは、ケースミドル部２にブレスレットを固定したりケースミドル部２からブレスレットを解放したりすることを迅速かつ容易に行うことかでき、環状リング８に対する単一のアクションによって２つの端部品１８を同時に解放することができる。
【００４２】
本発明の第１の実施形態に係る携行型時計ケース１の動作は、明らかに類似しており、ユーザーは、環状リングを動かすだけで端部品をロックしたりアンロックしたりすることができる。
【符号の説明】
【００４３】
１  携行型時計ケース
２  ケースミドル部
４  ケース裏部
６  ブレスレット取り付け手段
８  環状リング
１２  ホーン
１５  相補的係合手段
１６  棒体
１８  端部品
２４  溝
２６  突起
２８  機械的ロック手段
３０  薄い部分
３４  弾性メンバー
３５  凹部
３６  止め
３７  細長材ばね
Ａ−Ａ’  中心軸
【図１】
2020106523.tif 000003
【図２】
2020106523.tif 000004
【図３】
2020106523.tif 000005
【図４】
2020106523.tif 000006
【図５】
2020106523.tif 000007
【図６】
2020106523.tif 000008
【外国語明細書】
2020106523000001.pdf